(57)【要約】【課題】反射型液晶パネルへの応力を低減して反射型液晶パネルを配置するプロジェクターを提供する。【解決手段】プロジェクターは、入射する光を画像情報に応じて変調する反射型液晶パネル３４２１と、反射型液晶パネル３４２１を保持する保持枠４と、保持枠４が取り付けられる支持本体５１と、支持本体５１から突出する支持ピン５２と、を備える。保持枠４は、支持ピン５２が挿入される案内孔４２を有し、案内孔に注入された接着剤により支持ピン５２を介して、支持本体５１に固定される。【選択図】図４
2013073040.tif 000002
【特許請求の範囲】
【請求項１】
入射する光を画像情報に応じて変調する反射型液晶パネルと、
前記反射型液晶パネルを保持する保持枠と、
前記保持枠が取り付けられる支持本体と、
前記支持本体から突出する支持ピンと、
を備え、
前記保持枠は、前記支持ピンが挿入される案内孔を有し、前記案内孔に注入された接着剤により前記支持ピンを介して、前記支持本体に固定されることを特徴とするプロジェクター。
【請求項２】
請求項１に記載のプロジェクターであって、
前記支持ピンは、前記支持本体より剛性の高い材料で形成されていることを特徴とするプロジェクター。
【請求項３】
請求項１または請求項２に記載のプロジェクターであって、
前記支持本体は、開口部が形成された側面部を有し、
前記保持枠は、前記反射型液晶パネルの光が入射する側の面が前記開口部から前記支持本体の内側に露出するように前記側面部に取り付けられ、
前記側面部と前記保持枠との間を覆い、柔軟性を有する防塵部材をさらに備えることを特徴とするプロジェクター。
【発明の詳細な説明】
【技術分野】
【０００１】
本発明は、プロジェクターに関する。
【背景技術】
【０００２】
従来、光源から射出された光を画像情報に応じて変調し、スクリーン等の投写面に拡大投写するプロジェクターが知られている。また、より鮮明な画像を得るために反射型の光変調装置を用いたプロジェクターが知られている（例えば、特許文献１参照）。
【０００３】
特許文献１に記載のプロジェクターは、３色の色光毎にそれぞれ設けられた反射型光変調装置、反射型偏光板、偏光板、取付部材、および各反射型光変調装置によって変調された各色光を合成する色合成光学装置を備えている。取付部材は、三角柱状に形成され、各色光の反射型光変調装置、反射型偏光板、および偏光板が固定されている。反射型光変調装置は、反射型液晶パネルとこの反射型液晶パネルを保持する保持枠とを備え、保持枠が取付部材にネジ固定されることにより、取付部材に取り付けられている。
【先行技術文献】
【特許文献】
【０００４】
【特許文献１】特開２０１０−８６３８号公報
【発明の概要】
【発明が解決しようとする課題】
【０００５】
しかしながら、特許文献１に記載の技術は、反射型光変調装置が取付部材にネジ固定される構成のため、ネジが締められる際に保持枠と取付部材との間に応力が発生して反射型光変調装置に歪が生じる恐れがある。反射型光変調装置に歪が生じると、投写される画像の画質が劣化するという課題がある。また、反射型光変調装置に歪が生じないように、保持枠および取付部材の剛性を高めると装置が大型化したり重量が重くなったりするという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、入射する光を画像情報に応じて変調する反射型液晶パネルと、前記反射型液晶パネルを保持する保持枠と、前記保持枠が取り付けられる支持本体と、前記支持本体から突出する支持ピンと、を備え、前記保持枠は、前記支持ピンが挿入される案内孔を有し、前記案内孔に注入された接着剤により前記支持ピンを介して、前記支持本体に固定されることを特徴とする。
【０００８】
本適用例によれば、支持本体には、支持ピンが設けられ、反射型液晶パネルを保持する保持枠には、案内孔が設けられている。そして、保持枠は、案内孔に支持ピンが挿入され、この案内孔に接着剤が注入されて支持本体に固定される。これによって、反射型液晶パネルを保持する保持枠がネジで支持本体に固定される構成に比べ、支持本体と保持枠との間に発生する応力を低減し、保持枠を支持ピンによって位置決めして支持本体に取り付けることが可能となる。よって、保持枠に保持されている反射型液晶パネルは、応力による歪が抑制されるので、光学特性の劣化を抑制して入射する光を変調することが可能となる。したがって、プロジェクターは高品位の画像の投影が可能となる。
【０００９】
［適用例２］上記適用例に記載のプロジェクターにおいて、前記支持ピンは、前記支持本体より剛性の高い材料で形成されていることが好ましい。
【００１０】
本適用例によれば、支持ピンは、支持本体より剛性の高い材料で形成されているので、支持ピンと支持本体とが同じ材料で形成される場合に比べ、支持本体および支持ピンの小型化、軽量化が可能となる。
すなわち、支持ピンと支持本体とが同じ材料で形成される場合、剛性の高い材料を使用すると、支持本体の重量が重くなり、剛性の低い材料を使用すると、支持ピンの変形を抑制するために支持ピンひいては案内孔を形成するために保持枠が大型化する。
これに対し、本適用例の構成によれば、支持本体、支持ピンおよび保持枠を小さなサイズで形成しても、支持ピンの変形を抑制して保持枠を支持できる構成が可能となる。よって、支持本体と保持枠との間の応力を低減して保持枠を支持本体に取り付ける構成を可能としつつ、プロジェクターの小型化、軽量化が図れる。
【００１１】
［適用例３］上記適用例に係るプロジェクターにおいて、前記支持本体は、開口部が形成された側面部を有し、前記保持枠は、前記反射型液晶パネルの光が入射する側の面が前記開口部から前記支持本体の内側に露出するように前記側面部に取り付けられ、前記側面部と前記保持枠との間を覆い、柔軟性を有する防塵部材をさらに備えることが好ましい。
【００１２】
本適用例によれば、支持本体には、開口部が形成された側面部が設けられ、保持枠は、反射型液晶パネルの光が入射する側の面がこの開口部から支持本体の内側に露出するように側面部に取り付けられる。そして、側面部と保持枠との間には、柔軟性を有する防塵部材が配置されている。これによって、側面部と保持枠との間に接着剤が介在せず隙間となる部位が生じる構成であっても、接着されている部位に負荷をかけることなく、この防塵部材でこの隙間を覆うことが可能となる。よって、支持本体に対する保持枠の位置を安定に保ちつつ、開口部から塵埃が侵入することを防止することが可能となる。よって、反射型液晶パネルの歪、および反射型液晶パネルの表面に塵埃が付着することが抑制され、プロジェクターは、さらに高品位の画像の投影が可能となる。
【図面の簡単な説明】
【００１３】
【図１】本実施形態のプロジェクターの概略構成を示す模式図。
【図２】本実施形態の電気光学装置の斜視図。
【図３】本実施形態の電気光学装置の分解斜視図。
【図４】本実施形態の電気光学装置の分解斜視図。
【図５】本実施形態の電気光学装置の断面図。
【発明を実施するための形態】
【００１４】
以下、第１実施形態に係るプロジェクターについて、図面を参照して説明する。
本実施形態のプロジェクターは、光源から射出された光束を画像情報に応じて変調してスクリーン等に投写する。
図１は、本実施形態のプロジェクター１の概略構成を示す模式図である。
プロジェクター１は、図１に示すように、外装を構成する外装筐体２、光源装置３１を有する光学ユニット３を備えている。なお、図示は省略するが、外装筐体２内には、制御部、光源装置３１や制御部に電力を供給する電源装置、および外装筐体２内部を冷却する冷却ファン等が配置されている。
【００１５】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御を行う。
【００１６】
〔光学ユニットの主な構成〕
光学ユニット３は、制御部による制御の下、光源装置３１から射出された光束を光学的に処理して投写する。
光学ユニット３は、図１に示すように、光源装置３１に加え、照明光学装置３２、色分離光学装置３３、光学装置３４、投写レンズ３５、およびこれらの光学部品を光路上の所定位置に配置する光学部品用筐体３６を備えている。
【００１７】
光源装置３１は、超高圧水銀ランプやメタルハライドランプ等からなる放電型の光源３１１およびリフレクター３１２等を備えている。そして、光源装置３１は、光源３１１から射出された光束をリフレクター３１２によって射出方向を揃え、照明光学装置３２に向けて射出する。
【００１８】
照明光学装置３２は、第１レンズアレイ３２１、第２レンズアレイ３２２、偏光変換素子３２３、および重畳レンズ３２４を備えている。
第１レンズアレイ３２１は、マトリックス状に配列された複数の小レンズを有して構成されており、光源装置３１から射出された光束を複数の光束に分割する。第２レンズアレイ３２２は、第１レンズアレイ３２１と略同様の構成を有しており、重畳レンズ３２４とともに、入射する光束を後述する反射型液晶パネル３４２１（図４参照）に略重畳させる。
偏光変換素子３２３は、第２レンズアレイ３２２から射出されたランダム偏光光を反射型液晶パネル３４２１で利用可能な第１の直線偏光光に揃える機能を有する。
【００１９】
色分離光学装置３３は、クロスダイクロイックミラー３３１、Ｇ光反射ダイクロイックミラー３３２、および反射ミラー３３３，３３４を備え、照明光学装置３２から射出された光束を赤色光（以下「Ｒ光」という）、緑色光（以下「Ｇ光」という）、青色光（以下「Ｂ光」という）の３色の色光に分離する機能を有する。
【００２０】
クロスダイクロイックミラー３３１は、Ｂ光反射ダイクロイックミラー３３１Ｂ、およびＧＲ光反射ダイクロイックミラー３３１ＧＲが平面視Ｘ字状に配置されて構成されている。クロスダイクロイックミラー３３１は、照明光学装置３２から射出された光束のうち、Ｂ光をＢ光反射ダイクロイックミラー３３１Ｂにて反射し、Ｇ光およびＲ光をＧＲ光反射ダイクロイックミラー３３１ＧＲにて反射して、入射する光束を分離する。
【００２１】
Ｂ光反射ダイクロイックミラー３３１Ｂにて反射されたＢ光は、反射ミラー３３３によって反射され、後述する電気光学装置３４０Ｂに射出される。一方、ＧＲ光反射ダイクロイックミラー３３１ＧＲによって反射されたＧ光およびＲ光は、反射ミラー３３４によって反射された後、Ｇ光反射ダイクロイックミラー３３２に入射する。
【００２２】
Ｇ光反射ダイクロイックミラー３３２は、反射ミラー３３４によって反射されたＧ光およびＲ光のうち、Ｇ光を反射し、Ｒ光を透過して入射する光束を分離する。
そして、Ｇ光反射ダイクロイックミラー３３２にて反射されたＧ光は、後述する電気光学装置３４０Ｇに射出され、Ｇ光反射ダイクロイックミラー３３２を透過したＲ光は、後述する電気光学装置３４０Ｒに射出される。
【００２３】
光学装置３４は、３色の色光毎に備えられた電気光学装置３４０（Ｒ光用の電気光学装置を３４０Ｒ、Ｇ光用の電気光学装置を３４０Ｇ、Ｂ光用の電気光学装置を３４０Ｂとする）、および色合成光学装置としてのクロスダイクロイックプリズム３４５を備えている。
電気光学装置３４０Ｒ，３４０Ｇ，３４０Ｂは、色分離光学装置３３で分離された各色光を画像情報に応じてそれぞれ変調し、クロスダイクロイックプリズム３４５に射出する。
【００２４】
クロスダイクロイックプリズム３４５は、４つの直角プリズムを貼り合わせた平面視略正方形状をなし、直角プリズム同士を貼り合わせた界面には、２つの誘電体多層膜が形成されている。クロスダイクロイックプリズム３４５は、誘電体多層膜が電気光学装置３４０Ｒ，３４０Ｂにて変調されたＲ光、Ｂ光を反射し、電気光学装置３４０Ｇにて変調されたＧ光を透過して、各色光を合成する。
【００２５】
投写レンズ３５は、複数のレンズを組み合わせた組レンズとして構成され、クロスダイクロイックプリズム３４５にて合成された光をスクリーン上に拡大投写する。
【００２６】
〔電気光学装置の構成〕
ここで、電気光学装置３４０について詳細に説明する。
電気光学装置３４０Ｒ，３４０Ｇ，３４０Ｂは、同様の構成を有して構成されており、ここでは、電気光学装置３４０Ｇの図面を示して説明する。
図２は、電気光学装置３４０Ｇの斜視図であり、（ａ）は、後述する光変調装置３４２側から見た図、（ｂ）は、後述する反射型偏光板３４１１側から見た図である。図３、図４は、電気光学装置３４０Ｇの分解斜視図である。
【００２７】
電気光学装置３４０Ｇは、図２〜図４に示すように、反射型偏光板ユニット３４１、光変調装置３４２、偏光板ユニット３４３、光学補償素子ユニット３４４、支持部５および防塵部材６を備えている。
【００２８】
反射型偏光板ユニット３４１は、図２（ｂ）に示すように、反射型偏光板３４１１、保持部材３４１２および押さえ板３４１３を備えている。
反射型偏光板３４１１は、ガラス基板上にアルミニウム等からなる微細な線状リブを平行に多数配列したワイヤグリッド型の構成になっている。反射型偏光板３４１１は、図２（ｂ）に示すように、保持部材３４１２と押さえ板３４１３とに挟持され、支持部５に固定される。
【００２９】
そして、反射型偏光板３４１１は、線状リブの延出方向に対して垂直な偏光方向の偏光光を透過し、線状リブの延出方向に平行な偏光方向の偏光光を反射する。本実施形態の反射型偏光板３４１１は、偏光変換素子３２３で揃えられ、色分離光学装置３３で分離された第１の直線偏光光である色光を透過し、第１の直線偏光光と略直交する第２の直線偏光光を反射する。なお、反射型偏光板３４１１の光路前段側に位相差板を配置し、反射型偏光板３４１１が第２の直線偏光光を透過し、第１の直線偏光光を反射するように構成してもよい。
【００３０】
光変調装置３４２は、図３、図４に示すように、反射型液晶パネル３４２１、フレキシブル基板（図示省略）、保持枠４およびヒートシンク３４２２を備えている。
反射型液晶パネル３４２１は、反射型偏光板３４１１および後述する光学補償素子３４４１を透過した第１の直線偏光光である色光を画像情報に応じて変調し、反射型偏光板３４１１に向けて反射する。反射型液晶パネル３４２１は、対向する基板間に液晶層が挟持された構造を有する、反射型の高温ポリシリコンＴＦＴ液晶パネルや、いわゆるＬＣＯＳ（Liquid Crystal On Silicon）で構成されている。
【００３１】
反射型液晶パネル３４２１は、保持枠４に保持されて支持部５に固定され、フレキシブル基板（図示省略）を介して制御部に接続される。そして、反射型液晶パネル３４２１は、対向する基板の一方の基板となる透明基板の表面３４２１Ａ（図４参照）から入射する光を変調する。
【００３２】
保持枠４は、反射型液晶パネル３４２１を保持する部材であり、後述する支持本体５１に取り付けられる。保持枠４は、マグネシウム等の高耐熱で熱伝導性が高い材料で形成されており、図４に示すように、平面視矩形状に形成され、内部に反射型液晶パネル３４２１が収納される。保持枠４には、反射型液晶パネル３４２１の表面３４２１Ａが露出する開口部４１が形成され、四隅には、後述する支持ピン５２が挿入される案内孔４２が設けられている。
【００３３】
ヒートシンク３４２２は、アルミニウム等の熱伝導性が良好な材料から形成されている。ヒートシンク３４２２は、図３に示すように、板状に形成された部位から突出する複数のフィンを有して形成されている。ヒートシンク３４２２は、フィンが形成されている側の反対側が熱伝導シート３４２３を介して保持枠４に貼付される。そして、ヒートシンク３４２２は、反射型液晶パネル３４２１および保持枠４から伝達される熱を放出する。
【００３４】
光学補償素子ユニット３４４は、図３、図４に示すように、光学補償素子３４４１および保持板７を備えている。
光学補償素子３４４１は、保持板７に保持され、反射型偏光板ユニット３４１と光変調装置３４２との間で支持部５に固定される。そして、光学補償素子３４４１は、反射型液晶パネル３４２１にて正確に変調できなかった色光の位相のずれを補償し、投写される画像のコントラスト向上に寄与する。反射型液晶パネル３４２１にて変調され、光学補償素子３４４１を透過した色光の内、第２の直線偏光光は、反射型偏光板３４１１にて反射される。
【００３５】
保持板７は、光学補償素子３４４１を保持し、位置調整可能に支持部５に取り付けられる。保持板７は、板金から加工されて形成されており、図４に示すように、平面視矩形状の基部７１、および基部７１から突出する腕部７２，７３および把持部７４を有している。
基部７１には、中央部に光が通過する開口部７１１が形成され、光学補償素子３４４１は、この開口部７１１を閉塞するように基部７１に接着固定される。
【００３６】
腕部７２，７３は、基部７１の対向する角部から延出して形成されており、それぞれの先端は、反射型偏光板ユニット３４１側に屈曲され、この屈曲されている部位には、丸孔が形成されている。
把持部７４は、光学補償素子３４４１が位置調整される際に把持される部位であり、図４に示すように、図面視における基部７１の上端中央部から突出し、基部７１に対して略直交するように屈曲されている。
【００３７】
偏光板ユニット３４３は、図３、図４に示すように、偏光板３４３１および保持板３４３２を備えている。
偏光板３４３１は、中央部に開口部を有する板状の保持板３４３２に接着固定され、支持部５に固定される。偏光板３４３１は、反射型偏光板３４１１にて反射された第２の直線偏光光を透過する。すなわち、偏光板３４３１は、反射型偏光板３４１１にて反射された色光に所望の偏光光以外の偏光成分が含まれた場合であっても、所望以外の偏光成分を除去し、投写される画像のコントラスト向上に寄与する。
【００３８】
支持部５は、反射型偏光板ユニット３４１、光変調装置３４２、偏光板ユニット３４３、および光学補償素子ユニット３４４を支持する。
支持部５は、図３、図４に示すように、支持本体５１、および支持ピン５２を備えている。
支持本体５１は、アルミニウム等の高耐熱で熱伝導性が高い材料で形成されている。支持本体５１は、断面が略直角二等辺三角形の三角柱状に形成された中空部材であり、図３、図４に示すように、頂角に対向する面を有する第１側面部５１Ａ、頂角の両側をそれぞれ形成する第２側面部５１Ｂ、第３側面部５１Ｃを有している。
【００３９】
第１側面部５１Ａ、第２側面部５１Ｂ、および第３側面部５１Ｃには、光が通過する開口部がそれぞれ形成されている。
第２側面部５１Ｂの四隅には、図３に示すように、保持枠４の案内孔４２に対応する位置に形成されたネジ溝を有するネジ孔５１１が設けられている。また、第２側面部５１Ｂには、図３の図面視における上側中央部に切欠き５１２が形成され、右側下部および左側上部に凹部５１３，５１４が形成されている。
【００４０】
また、図４に示すように、凹部５１３近傍の第３側面部５１Ｃには、円柱状の突起５１５が設けられ、図３に示すように、凹部５１４近傍には、突起５１５と反対方向に突出する円柱状の突起５１６が設けられている。光学補償素子ユニット３４４は、把持部７４が切欠き５１２に挿入され、腕部７２，７３が凹部５１４，５１３にそれぞれ挿入される。そして、光学補償素子ユニット３４４は、腕部７２，７３の丸孔に突起５１６，５１５が挿入されて位置調整された後、支持本体５１に接着固定される。
【００４１】
支持ピン５２は、一方の端部が支持本体５１のネジ孔５１１に螺合され、他方の端部が支持本体５１から突出するように形成されている。
支持ピン５２は、支持本体５１より剛性の高い材料で形成されている。本実施形態の支持ピン５２は、ステンレス材で形成されている。支持ピン５２は、図３に示すように、ネジ孔５１１に螺合するネジ部５２１、ネジ部５２１より外径が大きい座部５２２、および座部５２２より外径が小さく、ネジ部５２１の反対側に突出する突出部５２３を有している。なお、支持ピン５２は、ステンレス材に限らず、支持本体５１より剛性の高い材料であればよい。
【００４２】
図５は、電気光学装置３４０Ｇの断面図である。
突出部５２３は、光変調装置３４２を支持する部位であり、図５に示すように、保持枠４の案内孔４２に挿入可能に形成されている。突出部５２３は、先端部の外周面５２３Ａがテーパー状に形成され、この先端部の中央部には、溝５２３１が設けられている。支持ピン５２は、この溝５２３１にマイナスドライバーの先端が挿入されて支持本体５１に螺合される。
【００４３】
光変調装置３４２は、反射型液晶パネル３４２１の表面３４２１Ａ（図４参照）が第２側面部５１Ｂの開口部から支持本体５１の内側に露出し、保持枠４の案内孔４２に突出部５２３が挿入されて支持本体５１に位置決めされる。そして、光変調装置３４２は、案内孔４２（突出部５２３が挿入された側とは反対側）にＵＶ接着剤等の接着剤８（図５参照）が注入されて支持部５に固定される。
【００４４】
具体的に、接着剤８は、図５に示すように、突出部５２３の外周面５２３Ａおよび溝５２３１と、案内孔４２の内面との間に注入される。そして、図５の図面視における外周面５２３Ａの下方の突出部５２３と案内孔４２とは、隙間が詰められて形成されていることにより、接着剤８は、案内孔４２の下端から殆どが漏れ出ないようになっている。
このように、光変調装置３４２は、４つの案内孔４２に注入された接着剤８により部分的に接着され、支持ピン５２を介して支持本体５１に取り付けられる。
【００４５】
反射型偏光板ユニット３４１は、反射型偏光板３４１１が位置調整された後、第１側面部５１Ａの開口部を覆うように、第１側面部５１Ａにネジ固定される。偏光板ユニット３４３は、第３側面部５１Ｃの開口部を覆うように、第３側面部５１Ｃに接着固定される。
【００４６】
防塵部材６は、保持枠４と支持本体５１との間から支持本体５１内への塵埃の侵入を防止する機能を有している。防塵部材６は、ゴム系や発泡材等の柔軟性を有する材料で、図２、図５に示すように、支持本体５１側の保持枠４の縁部外周に沿って配置される。具体的に、防塵部材６は、断面視矩形の長尺状に形成され、一方の面に両面テープ等の粘着材が設けられている。粘着材は、防塵部材６が引き剥がされる際に、支持本体５１および保持枠４に対し剥離可能となる部材が採用されている。
【００４７】
そして、防塵部材６は、保持枠４と第２側面部５１Ｂとの間を覆うように貼付される。つまり、防塵部材６は、接着剤８が介在されていない部位や、凹部５１３，５１４等によって、保持枠４と第２側面部５１Ｂとの間に隙間となる箇所を覆うように貼付される。
【００４８】
このように、電気光学装置３４０Ｇは、各側面部（第１側面部５１Ａ、第２側面部５１Ｂ、第３側面部５１Ｃ）に、各部材（反射型偏光板ユニット３４１、光変調装置３４２、偏光板ユニット３４３）がそれぞれ固定されることに加え、防塵部材６が配置されて、各側面部の開口部が閉塞された状態となる。
電気光学装置３４０Ｒ，３４０Ｂは、前述したように、電気光学装置３４０Ｇと同様に構成され、各側面部の開口部が閉塞された状態となる。
【００４９】
以上説明したように、本実施形態のプロジェクター１によれば、以下の効果を得ることができる。
（１）反射型液晶パネル３４２１を保持する保持枠４は、案内孔４２に支持ピン５２が挿入され、この案内孔４２に接着剤８が注入されて支持本体５１に取り付けられる。これによって、保持枠４がネジで支持本体５１に固定される構成に比べ、支持本体５１と保持枠４との間に発生する応力を低減し、保持枠４を支持ピン５２によって位置決めして支持本体５１に取り付けることが可能となる。よって、保持枠４に保持されている反射型液晶パネル３４２１は、応力による歪が抑制されるので、光学特性の劣化を抑制して入射する光を変調することが可能となる。したがって、プロジェクター１は、高品位の画像の投影が可能となる。また、保持枠４は、四隅に設けられた案内孔４２に支持ピン５２が挿入される構成なので、バランス良く支持本体５１に支持され、耐衝撃性の向上も可能となる。
【００５０】
（２）支持ピン５２は、支持本体５１より剛性の高い材料で形成されているので、支持ピン５２と支持本体５１とが同じ材料で形成される場合に比べ、支持本体５１および支持ピン５２の小型化、軽量化が可能となる。
すなわち、支持ピン５２と支持本体５１とが同じ材料で形成される場合、剛性の高い材料を使用すると、支持本体５１の重量が重くなり、剛性の低い材料を使用すると、支持ピン５２の変形を抑制するために支持ピン５２、ひいては保持枠４が大型化する。
これに対し、本実施例の構成によれば、支持本体５１、支持ピン５２および保持枠４を小さなサイズで形成しても、支持ピン５２の変形を抑制して保持枠４を支持できる構成が可能となる。よって、支持本体５１と保持枠４との間の応力を低減して保持枠４を支持本体５１に取り付ける構成を可能としつつ、プロジェクター１の小型化、軽量化が図れる。
【００５１】
（３）防塵部材６は、柔軟性を有しているので、保持枠４と支持本体５１とが接着されている部位に負荷をかけることなく、保持枠４と第２側面部５１Ｂとの間を覆うことが可能となる。よって、支持本体５１に対する保持枠４の位置を安定に保ちつつ、第２側面部５１Ｂの開口部から塵埃が侵入することを防止することが可能となる。よって、反射型液晶パネル３４２１の歪、および反射型液晶パネル３４２１の表面３４２１Ａに塵埃が付着することが抑制され、プロジェクター１は、さらに高品位の画像の投影が可能となる。
【００５２】
（４）支持本体５１は、第２側面部５１Ｂの開口部に加え、第１側面部５１Ａおよび第３側面部５１Ｃの開口部が反射型偏光板ユニット３４１および偏光板ユニット３４３で閉塞されているので、支持本体５１内への塵埃の侵入をより抑制できる。よって反射型液晶パネル３４２１の表面３４２１Ａに塵埃が付着することがさらに抑制され、プロジェクター１は、さらに高品位の画像の投影が可能となる。
【００５３】
（５）防塵部材６は、引き剥がされる際に、粘着材が支持本体５１および保持枠４に対し剥離可能となる部材が採用されているので、貼付されている状態から容易な引き剥がしが可能となる。よって、反射型液晶パネル３４２１の交換作業等の簡素化が図れる。また、防塵部材６が引き剥がされる際に、粘着材がゴミとなって残ることが抑制されるので、この防塵部材６を引き剥がす際にも、反射型液晶パネル３４２１に塵埃が付着することが抑制される。
【００５４】
なお、前記実施形態は、以下のように変更してもよい。
支持ピン５２は、螺合によって支持本体５１に接続されるように構成されているが、螺合に限らず、溶接等で接合するように構成してもよい。
【００５５】
防塵部材６にさらに液状のシリコン等を塗布するように構成してもよい。これによって、さらに防塵性の向上が図れる。
【００５６】
反射型偏光板ユニット３４１と第１側面部５１Ａとの間を覆うように防塵部材６を貼付するように構成してもよい。また、偏光板ユニット３４３と第３側面部５１Ｃとの間を覆うように防塵部材６を貼付するように構成してもよい。
【００５７】
光源３１１は放電型のランプに限らず、その他の方式のランプや発光ダイオード等の固体光源で構成してもよい。
【符号の説明】
【００５８】
１…プロジェクター、３…光学ユニット、４…保持枠、５…支持部、６…防塵部材、８…接着剤、３１…光源装置、４２…案内孔、５１…支持本体、５１Ａ…第１側面部、５１Ｂ…第２側面部、５１Ｃ…第３側面部、５２…支持ピン、３１１…光源、３４０，３４０Ｂ，３４０Ｇ，３４０Ｒ…電気光学装置、３４１…反射型偏光板ユニット、３４２…光変調装置、３４３…偏光板ユニット、３４４…光学補償素子ユニット、３４５…クロスダイクロイックプリズム、５１１…ネジ孔、５２１…ネジ部、５２２…座部、５２３…突出部、３４１１…反射型偏光板、３４１２…保持部材、３４１３…押さえ板、３４２１…反射型液晶パネル、３４２１Ａ…表面、３４２２…ヒートシンク、３４２３…熱伝導シート、３４３１…偏光板、３４３２…保持板、３４４１…光学補償素子。
【図１】
2013073040.tif 000003
【図２】
2013073040.tif 000004
【図３】
2013073040.tif 000005
【図４】
2013073040.tif 000006
【図５】
2013073040.tif 000007